(57)【要約】【課題】施設内の個室あるいは一般家庭用に使用できる温熱型ベッド及び温熱浴室を構成すること。【解決手段】温熱型ベッド１０は、ベッド本体部１１と脚部１８とを有している。ベッド本体部１１は、下層から順に、敷板１２、断熱層１３、ヒートパイプ１５を収納する放熱板１４、保護カバー１６、天然石層１７からなる。ヒートパイプ１５は熱媒用流体を貯溜したチャンバーにコアパイプを挿通し、コアパイプの一端をコンパクトな温水器に接続する。温水器から温水を給湯することによってチャンバー内の熱媒用流体を沸騰させて放熱板１４に熱を伝導する。この熱により天然石層１７の天然石から遠赤外線を放射させ、遠赤外線の波長で人体の細胞を活性化させる。【選択図】図５
2006311944.tif 000002
【特許請求の範囲】
【請求項１】
天然石を備え、前記天然石を加熱することによって人体の細胞の活性化を行うことができる温熱型ベッドであって、
脚部と前記脚部の上方に配置されるベッド本体部とを備え、
前記ベッド本体部は、下層に配置される断熱部と、前記断熱部の上方に配置されるとともに加熱手段を収容する熱伝導体と、前記熱伝導体の上方に配置されるとともに前記天然石を支持する保護カバーとを備えて構成され、
前記加熱手段で加熱することによって、前記天然石から遠赤外線が放射されることを特徴とする温熱型ベッド。
【請求項２】
前記加熱手段が、熱媒用流体を貯溜するパイプ体と前記パイプ体を挿通する熱源パイプとを有し、前記熱源パイプに給湯することによって、前記パイプ体内の熱媒用流体を沸騰させて加熱可能とするヒートパイプであることを特徴とする請求項１記載の温熱型ベッド。
【請求項３】
前記熱伝導体には、前記加熱手段を収納する凹部が形成されていることを特徴とする請求項１又は２記載の温熱型ベッド。
【請求項４】
前記天然石が水晶と麦飯石とからなることを特徴とする請求項１，２又は３のいずれかに記載の温熱型ベッド。
【請求項５】
床と気密性及び断熱性を有する天井及び側壁とを有する温熱浴室であって、
前記床には、脚部と前記脚部の上方に配置されるベッド本体部とを備え、
前記ベッド本体部は、下層に配置される断熱部と、前記断熱部の上方に配置されるとともに加熱手段を収容する熱伝導体と、前記熱伝導体の上方に配置されるとともに前記天然石を支持する保護カバーとを備えて構成され、
前記加熱手段で加熱することによって、前記天然石から遠赤外線が放射されることを特徴とする温熱浴室。
【請求項６】
室内に蒸気発生手段が配置されることを特徴とする請求項５記載の温熱浴室。
【請求項７】
前記加熱手段が、パイプ体内に貯溜された熱媒用流体の沸騰で加熱可能に構成されたヒートパイプであることを特徴とする請求項５，又は６記載の温熱浴室。
【請求項８】
前記天井又は前記側壁が、硬質ポリウレタンフォーム製の芯材と鋼板製又はアルミニウム製の枠体とで構成されたパネル体であることを特徴とする請求項５，６又は７のいずれかに記載の温熱浴室。
【請求項９】
前記床が、床暖房可能に構成されていることを特徴とする請求項５，６，７又は８のいずれかに記載の温熱浴室。
【発明の詳細な説明】
【技術分野】
【０００１】
本発明は天然石を加熱して遠赤外線を放出させるとともに、遠赤外線の波長により人体の細胞を活性化させるための温熱型ベッド及び温熱浴室に関する。
【背景技術】
【０００２】
従来から天然石を利用して構成するベッドや浴室が知られている。例えば、特許文献１では、天然石を含むベッドが記載され、特許文献２では、側壁の一部に岩盤石を有して構成された浴室が記載されている。
【０００３】
特許文献１のベッド又は椅子は、気密性・断熱性が高く床暖房システムを構成する部屋内に配置されるとともに、トルマリン鉱石等を珪砂入りのモルタルで固めた岩盤石で構成されている。床暖房で暖められたベッドからマイナスイオンと遠赤外線が発せられ、大量の発汗が促されることによって、入浴者は疲労回復、健康維持、自然治癒力等を増進することができる。
【０００４】
また、特許文献２の浴室６０の構造は、図１５に示すように、下層から順に基礎床６１、支持材６２、敷板６３、砂利層６４、壁６５が配置され、壁６５の一部には岩盤石６６が配置されている。基礎床６１は排水口６１１を有して上面に形成された傾斜面６１２から水を排水可能にし、基礎床６１と敷板６３との間に温水ボイラーから熱風を送風可能にするとともに、温水ボイラーに接続された温水管が砂利層６４内に埋設するように配管されている。砂利層６４にはラジウム含有鉱石やトルマリン鉱石等の天然鉱石が含まれ、岩盤石６６にはラジウム含有鉱石が含まれている。
【０００５】
そして、温水ボイラーから送風される熱風及び温水管内で循環される温水によって浴室６０内の温度を急激に温めることができる。これによって、砂利層６４内の天然鉱石や岩盤石から発するラジウムにより人体の細胞を刺激して新陳代謝を活発にし、ホルミシス効果により抗酸化機能を高めることができる。
【特許文献１】特開２００４−１３０４７公報（３頁、図１参照）
【特許文献２】特開２００５−７３８００公報（４〜５頁、図１参照）
【発明の開示】
【発明が解決しようとする課題】
【０００６】
しかし、特許文献１に示されている従来のベッドは、トルマリン鉱石のパウダーや原石を混ぜたものを床材として構成し床暖房システム上に１０ｃｍ程度の厚みで平らに盛ったものであり、天然石（トルマリン鉱石）を加熱する手段が床暖房であることから、床暖房を設備するスペースを広くとるとともに費用が莫大となっていた。そのため、大きな設備では有効に使用できるものの、少ないスペース、例えば、施設内の個室の浴室や家庭内の浴室を構成することには適当ではなかった。しかも、ベッドが床面を構成することから、特に身障者が利用する場合には、横たわるまでに苦労を強いられることとなっていた。
【０００７】
また、特許文献２に示されている従来の浴室６０は、ラジウム含有鉱石やトルマリン鉱石等の天然鉱石を含む砂利層６４が基礎床６１上に支持板６２を介して敷設されていることから、前述の特許文献１と同様、特に身障者が利用する場合には、横たわるまでに苦労を強いられることとなり、また、岩盤石６６が壁６５の一部に配置されていることから、岩盤石６６の壁６５を有効に利用するためにはやはり大きなスペースを必要とし、施設内の個室や家庭内に設備することには不適当であった。
【課題を解決するための手段】
【０００８】
本発明は、上述の課題を解決するものであり、人体の細胞を活性化させるために天然石を利用するとともに、大きな設備内で使用することは勿論のこと、施設内での個室を構成することや一般家庭内で入浴できるベッドや浴室を提供することを目的とする。すなわち、
請求項１記載の発明では、天然石を備え、前記天然石を加熱することによって人体の細胞の活性化を行うことができる温熱型ベッドであって、脚部と前記脚部の上方に配置されるベッド本体部とを備え、前記ベッド本体部は、下層に配置される断熱部と、前記断熱部の上方に配置されるとともに加熱手段を収容する熱伝導体と、前記熱伝導体の上方に配置されるとともに前記天然石を支持する保護カバーとを備えて構成され、前記加熱手段で加熱することによって、前記天然石から遠赤外線が放射されることを特徴とするものである。
【０００９】
請求項２記載の発明では、前記加熱手段が、熱媒用流体を貯溜するパイプ体と前記パイプ体を挿通する熱源パイプとを有し、前記熱源パイプに給湯することによって、前記パイプ体内の熱媒用流体を沸騰させて加熱可能とするヒートパイプであることを特徴としている。
【００１０】
請求項３記載の発明では、前記熱伝導体には、前記加熱手段を収納する凹部が形成されていることを特徴としている。
【００１１】
請求項４記載の発明では、前記天然石が水晶と麦飯石とからなることを特徴としている。
【００１２】
また、請求項５記載の発明では、床と気密性及び断熱性を有する天井及び側壁とを有する温熱浴室であって、前記床には、脚部と前記脚部の上方に配置されるベッド本体部とを備えた温熱型ベッドが配置され、脚部と前記脚部の上方に配置されるベッド本体部とを備え、前記ベッド本体部は、下層に配置される断熱部と、前記断熱部の上方に配置されるとともに加熱手段を収容する熱伝導体と、前記熱伝導体の上方に配置されるとともに前記天然石を支持する保護カバーとを備えて構成され、前記加熱手段で加熱することによって、前記天然石から遠赤外線が放射されることを特徴とするものである。
【００１３】
請求項６記載の発明では、室内に蒸気発生手段が配置されることを特徴としている。
【００１４】
請求項７記載の発明では、前記加熱手段が、パイプ体内に貯溜された熱媒用流体の沸騰で加熱可能に構成されたヒートパイプであることを特徴としている。
【００１５】
請求項８記載の発明では、前記天井又は前記側壁が、硬質ポリウレタンフォーム製の芯材と鋼板又はアルミニウム製の枠体とで構成されたパネル体であることを特徴としている。
【００１６】
請求項９記載の発明では、前記床が、床暖房可能に構成されていることを特徴としている。
【発明の効果】
【００１７】
請求項１記載の発明によれば、温熱型ベッドはベッド本体部と脚部とを有し、ベッド本体部に、遠赤外線の波長を発生する天然石と、天然石を加熱するための加熱手段が設けられている。そのため、１台のベッドで天然石を利用した温熱浴を楽しむことができることから、施設内で個室を構成したり、一般家庭内に設置したりすることを容易に行なうことができる。しかも、加熱手段は、断熱材の上層に熱伝導手段を介して配置され、加熱手段を保護カバーで覆っていることから天然石が加熱手段により効率よく加熱されるとともに、加熱手段自体は損傷が少なく長期間の使用を可能とすることができる。さらに、保護カバーを、下層の熱伝導手段に固着しないで積み重ねることができるので、保護カバーと天然石とを容易に交換することができる。
【００１８】
請求項２記載の発明によれば、請求項１記載の加熱手段は熱源パイプに温水を供給すると、パイプ体内に貯溜された熱媒用流体が沸騰する。この熱媒用流体の沸騰によって熱媒用流体が蒸発して蒸気流となり、パイプ体の管壁に付着することによって熱伝導されパイプ体が加熱される。パイプ体の加熱は熱伝導体から上方に配置された天然石を加熱することになり、天然石から遠赤外線を放射することとなる。
【００１９】
従って、請求項１の発明と同様、１台のベッドで温熱浴を利用できることから容易に個室を構成でき、一般家庭でも設置することが可能となる。
【００２０】
請求項３記載の発明によれば、加熱手段は熱伝導体の凹部に収納できることから、加熱手段を熱伝導体の上面から突出しないように構成することができる。これによって加熱手段の上面に配置する保護カバーを平板状に形成することができ、平板状の保護カバーに天然石を効率的に載置させてベッド本体をコンパクトに構成することができる。
【００２１】
請求項４記載の発明によれば、麦飯石は、多孔製で形成され調湿作用を有するとともに、マイナスイオンを発生させたり遠赤外線を放出したりする作用を有し、加熱手段で加熱することによって、室内の湿度を適度に維持することができ、また、遠赤外線を放出することによって遠赤外線の波長により人体の細胞を活性化して、心身の疲れを取ることができ健康の維持に大いに役立つことができる。また、水晶は細胞の再生を促して新陳代謝を活発にさせる力を有することから、病気の回復に効果を発揮することができる。さらに、麦飯石は水晶とともに肌触りがよいことから、利用者がベッド上に、違和感を覚えることがなく快い感じで横たわることができる。
【００２２】
請求項５記載の発明による温熱浴室は、請求項１記載のベッドを室内に配置して構成している。そのため、室内を所定温度に加熱することによってベッドに配置された天然石から放出する遠赤外線の波長で人体の細胞を活性化することができ、心身の疲れを取って健康を維持することができる。しかも１台のベッドに加熱手段と天然石を設けていることから、１台のベッドで温熱浴を楽しむことができる。そのため、室内に複数台のベッドを配置することによって大きな施設として設置することができ、また、室内に、１台のベッドだけ配置すれば、例えば、個室を構成することができ、さらに一般家庭でも設置することが容易となる。
【００２３】
請求項６記載の発明によれば、蒸気発生器から発生する蒸気によって室内にマイナスイオンを発生させることから自然状態を形成することができ老化防止や疲労回復にも効果を発揮できる。
【００２４】
請求項７記載の発明によれば、ヒートパイプを加熱することにより、請求項２の発明の作用と同様、ベッドに配置された天然石から遠赤外線を放射することとなる。従って、１個のベッドで温熱浴を利用できることから容易に個室を構成でき、一般家庭でも設置することが可能となる。
【００２５】
請求項８記載の発明によれば、室内は、天井又は側壁が気密性・断熱性を有する材料で構成されたパネル体により、適度な温度又は湿度を維持することが可能となる。
【００２６】
請求項９記載の発明によれば、室内はベッドのヒートパイプからの加熱に加えて床暖房により室温を急激に暖めることができ、短時間で適度な室温を維持することができる。
【発明を実施するための最良の形態】
【００２７】
次に、本発明による温熱型ベッド及び温熱浴室の一実施形態を図面に基づいて説明する。
【００２８】
図１〜２は、天井部３、側壁部５及び床部７からなる温熱浴室１を示すものであり、浴室１内には床部７上面に１台の温熱型ベッド１０が配置され個室として構成されている。さらに、浴室１外には、温熱型ベッド１０に配置された後述のヒートパイプに温水を供給する温水器２０が配置され温熱型ベッド１０と配管部材で接続され、また、浴室１外に配置されて蒸気を発生する蒸気発生器４０が配管部材を浴室１内に延設して配置されている。
【００２９】
温熱型ベッド１０は、図３〜６に示すように、ベッド本体部１１と脚部１８とを有して構成されている。さらに、実施形態ではベッド本体部１１の短手方向の一方の端部にベッド本体部１１より高く形成された壁部１９を備えている。
【００３０】
実施形態のベッド本体部１１は、下層から順に敷板１２、断熱層１３、ヒートパイプ１５を支持する熱伝導手段としての放熱板１４、ヒートパイプ１５を覆う保護カバー１６、遠赤外線を放出する天然石層１７を有している。なお、ヒートパイプ１５は加熱手段を構成し、放熱板１４は熱伝導手段を構成している。
【００３１】
敷板１２は、薄板状に形成された金属板でもよく、また、多孔製に形成されたパンチングメタルでもよい。断熱層１３は、硬質ウレタンフォーム製あるいはそれに類した一般的な断熱材で形成され、断熱層１３の上面に長手方向に沿って複数本の角状溝１３１が形成されている。
【００３２】
放熱板１４は、熱伝導良好な金属材料で形成されることが望ましく、例えば、実施形態においては質量の軽いアルミニウム製で形成されている。図６に示すように、放熱板１４はヒートパイプ１５を収納する複数本（図３では３本）のパイプ収納部１４２が平板部１４１から突出するように形成されている。パイプ収納部１４２は、断面Ｕ字状に形成されて断熱層１３の角状溝１３１内に嵌入されるとともに上面にヒートパイプ１５を収納している。また、放熱板１４は、ヒートパイプ１５の上面が平板部１４１より突出することなく、つまり、平板部１４１の上面が平板状の保護カバー１６の下面と接触できるようにパイプ収納部１４２を形成している。
【００３３】
ヒートパイプ１５は、所定の温度（室温３５〜４５℃、望ましくは４０℃）に急速に加熱できる商品名パワーヒートパイプ（三和鋼器（株）販売製品）を使用することが望ましい。このヒートパイプ１５は、図７〜８に示すように、熱媒用流体１５１を貯溜するパイプ体としての熱源パイプ挿通用筒体（以下、チャンバーという。）１５２と、チャンバー１５２内を挿通する熱源パイプ（以下、コアパイプという。）１５３と、を有して構成されている。チャンバー１５２内は密封・真空に形成され、熱媒用流体１５１は主に人畜無害の作動液で形成されて給湯温度約２５℃で沸騰し境界面から蒸気流を発生する。また、コアパイプ１５３は熱源としての温水器２０に接続され、温水器２０からの温水が真空のチャンバー１５２内におけるコアパイプ１５３内を通過すると、熱媒用流体１５１が沸騰される。そして沸騰された熱媒用流体１５１は蒸発されて蒸気流となって管璧に付着して凝縮される。凝縮された熱媒用流体は重力により下方に還流されて再び加熱される。このサイクルを繰り返すことによって連続的に熱が移動されてヒートパイプ１５自体が加熱され、放熱板１４にその熱を伝導することとなる。
【００３４】
なお、図例において３本のヒートパイプ１５が放熱板１４上に並設され、それぞれのヒートパイプ１５のコアパイプ１５３どうしをＵ字状の接続パイプ１５４（図４参照）で接続している。
【００３５】
なお、ヒートパイプ１５は、加熱手段を構成する一形態を示すものであり、加熱手段は、勿論上述のパワーヒートパイプでなく単にパイプ内を給湯する一般的に知られているヒートパイプであってもよく、また、図９に示すように、偏平なチャンバー２８１内に熱媒用流体１５１を貯溜するとともにチャンバー２８１の下面側にヒータ線２８２を配置するヒートパイプ２８であってもよい。チャンバー２８１の上面には放射板２９が配置される。この場合のヒートパイプ２８は前述のコアパイプ１５３を有するものではなく、熱源がヒータ線２８２であることから温水器２０には接続されていない。
【００３６】
保護カバー１６は、放熱板１４の熱伝導を天然石層１７に伝導しやすい材料、例えば、ステンレス等の金属材料で形成されるとともに、ヒートパイプ１５及び放熱板１４を上方から覆うように平板状に形成されている。さらに保護カバー１６の上面は、天然石層１７を載置可能に形成されている。保護カバー１６は、特に放熱板１４と一体的に固着されずに放熱板１４上に積み上げられている。そのため、保護カバー１６と天然石層１７の交換は、必要によって適宜にしかも容易に行なえる。
【００３７】
なお、天然石層１７を形成する天然石は、遠赤外線を放射するものであれば、特に一つに限定するものではないが、実施形態では、水晶と麦飯石とで構成されている。他に、トルマリン鉱石やラジウム含有鉱石であってもよい。
【００３８】
実施形態の天然石層１７の場合、保護カバー１６上に直方体状の水晶体１７１と直方体状の麦飯石体１７２が長手方向に沿って交互に複数個配置されている。
【００３９】
麦飯石は、地球の地殻変動の際、大きなエネルギーの影響を受けて通常より高温に熱せられたマグマが冷え固まって形成されたものであり、多孔製で形成され調湿作用を有するとともに、マイナスイオンを発生させたり遠赤外線を放出したりする作用を有している。また、水晶は精神を高め集中力を増強させる天然石として知られている。麦飯石、水晶いずれも加熱手段で加熱することによって、室内の湿度を適度に維持することができ、また、麦飯石によって遠赤外線を放出することによって遠赤外線の波長により人体の細胞を活性化して、心身の疲れを取ることができ健康の維持に大いに役立つことができる。また、水晶によって、細胞の再生を促して新陳代謝を活発にさせる力で病気の回復に効果を発揮することができる。
【００４０】
さらに、麦飯石は水晶とともに肌触りがよいことから、利用者がベッド上に、違和感を覚えることがなく快い感じで横たわることができる。そして、水晶及び麦飯石を直方体状に加工してそれぞれ水晶体１７１及び麦飯石体１７２として形成する。
【００４１】
脚部１８は、ベッド本体部１１を床面から高い位置に配置するように設けるものであれば、その形状は特に限定するものではない。実施形態の場合は、脚部１８は、ベッド本体部１１の長手方向に沿ってベッド本体部１１の側面部から下方に向かって板状に形成されている。しかしこれに限るものではなく、ベッド本体部１１の四隅にアルミニウム製の角パイプを敷板１２から下方に延設するように形成してもよい。この場合、脚部１８を構成する角パイプは、ベッド本体部１１の大きさによって随時増やしてもよい。
【００４２】
壁部１９は、木製で形成された複数の細幅状の板を長手方向に沿って重ね合わせたものでもよく、また、１側面に対して１枚の板で形成してもよい。壁部１９は、特に設けなくてもよく、また、ベッド本体部１１の長手方向に沿ってベッド本体部１１の一方の側面部側に立設させてもよい。
【００４３】
温水器２０は、図１０に示すように、ヒートパイプ１５のコアパイプ１５３に温水を流入して熱媒用流体１５１を沸騰させて蒸発させるための熱源を構成するものであり、温水器本体２１にタンク２４が配置されタンク２４に流入する流入口２２とタンク２４から流出する流出口２３とを有して温水を循環可能に構成されている。温水器２０は、ヒートパイプ１５のコアパイプ１５３に温水を供給できるものであれば、特に限定するものではないが、実施形態の温水器２０は、個室の温熱浴室１に適したコンパクトな温水器（例えば、朝日興業（株）製の超小型温水器オンパクト）を使用している。この温水器２０では、流体
は不凍液が使用され６０〜７０℃の温度で不凍液を循環するように構成されている。また、この温水器２０において、設定温度は温度調整可能で容易に温度調整操作ができるように構成されている。
【００４４】
蒸気発生装置４０は、浴室１の隅に一箇所配置され、図１１に示すように、タンク４１とタンク４１の側面に設けられた給水口４２、排出口４３及び上面に取り付けられた蒸気取り出し口４４とを有している。タンク４１内にはヒータ４５が配設され、ヒータ４５を加熱することによって水を加熱して蒸気を発生可能としている。蒸気取り出し口４４には配管部材４６が接続され、その先端部に浴室１内に配置されるノズル４７を備えている。
【００４５】
天井部３、側壁部５は、浴室１内が気密性・断熱性を形成できるような材料で形成されることが望ましい。例えば、実施形態においては、図１２に示すように、硬質ポリウレタンフォーム製の芯材３１と鋼板製又はアルミニウム製の枠体３２で形成されたパネル体３０を使用している。またポリウレタンフォームで形成された外板と、防水性を有する材料で形成された内板とを厚み方向に重ね合わせた一般的に知られたものであってもよい。なお、パネル体３０を構成する枠体３２が鋼板製又はアルミニウム製で形成されている場合、製作上、個室に有効であり、後述の集合型浴室で使用する場合は、コストを考慮して硬質塩化ビニール製で形成することができる。
【００４６】
床部７は、床暖房システムを構成している。床暖房システムは、図５又は図６に示すような温熱型ベッド１０とほぼ同様の構成とする。この場合、ヒートパイプは、図９に示すヒータ線２８２を使用した扁平のヒートパイプ２８を使用することが望ましい。このヒートパイプ２８であれば、図１に示す温水器２０に接続することはない。もちろん、図７〜８に示すヒートパイプ１５を使用してもよい。この場合は、温水器２０は１台で温熱型ベッドと床暖房システムに兼用して温水を供給することとなる。いずれの場合でも、温熱型ベッド１０とともに床暖房の天然石から遠赤外線を放射することとなる。
【００４７】
次に、上述のように構成された温熱型ベッド１０及び温熱浴室１の作用について説明する。
【００４８】
温水器２０から温熱型ベッド１０のヒートパイプ１５に、６０〜７０℃の温水を循環させて、ヒートパイプ１５を加熱させる。また、蒸気発生器４０で蒸気を発生させて、浴室１内の環境を、温度３５〜４５℃（望ましくは４０℃）湿度７５〜９５％（望ましくは８５％）に設定する。
【００４９】
一方、床部７には、ヒータ線２８２を加熱してヒートパイプ２８を加熱することによって床温度を４０〜５０℃（望ましくは４５℃）に設定する。
【００５０】
温熱型ベッド１０においては、温水器２０から供給される温水（不凍液）がコアパイプ１５３内を流通することによって、チャンバー１５２内の熱媒用流体１５１を沸騰させることによって蒸発させてチャンバー１５２自体を加熱する。チャンバー１５２の熱は、放熱板１４のパイプ収納部１４２から平板部１４１に伝達される。平板部１４１は下方に断熱層１３が配置され上方に熱伝導良好な保護カバー１６を配置していることから、保護カバー１６を介して上方の天然石層１７に伝達される。天然石層１７の水晶体１７１及び麦飯石体１７２は加熱されることによって、遠赤外線を上方に向かって放射する。
【００５１】
この状態において、利用者が温熱浴室１内に入ると、まず、床暖房システムによって足裏を暖めるとともに床暖房システムの天然石から放射する遠赤外線で人体の細胞を活性化させる。そして、温熱型ベッド１０の天然石層１７上に横たわることによって、さらに温熱型ベッド１０から放射する遠赤外線の波長により低温でありながら人体の細胞を活性化することになり、免疫力を向上することができる。しかも蒸気発生器４０から発生するマイナスイオンでさわやかな感触を得ることができる。これによって老化防止や疲労回復を図ることができ健康体を維持することができる。
【００５２】
この温熱浴室１が個室であれば、利用者は、他人に気兼ねすることなくさらにゆったりとした気分を味わうことができる。この場合、家庭用温熱浴室として容易に施工することができる。
【００５３】
なお、この温熱浴室１に配置される温熱型ベッドは、図１３に示すように、長手方向に沿って配置された壁部１９Ａを間にしてベッド本体部１１Ａを一対形成してダブル型温熱型ベッド１０Ａとすることができる。これによれば、個室として形成しても２人の利用者を同時に収容することができる。
【００５４】
さらに図１４に示すように、温熱型ベッド１０やダブル型温熱型ベッド１０Ａを複数配置して集合型温熱浴室１Ａとすることもできる。この場合、温熱型ベッド１０又は１０Ａに熱源を供給する供給源は、個室１用の温水器２０より大きな温水ボイラーを使用することが望ましい。これによって多数の利用者を収容して営業することが可能となる。
【００５５】
上述のように、実施形態の温熱型ベッド１０は、それ自体でヒートパイプ１５及び天然石層１７を備えていることから、遠赤外線の波長で人体の細胞を活性化させる健康浴室を構成することができるとともに、１台の温熱型ベッド１０を配置することによって、施設内での個室用浴室あるいは一般家庭用の浴室として使用することが可能となる。
【００５６】
しかも、ヒートパイプ１５は放熱板１４のＵ字状に形成されたパイプ収納部１４２に収納されていることから、ヒートパイプを保護する保護カバーやその上層部の天然石層１７を平板状でコンパクトに形成することができる。さらに、コンパクトな温水器２０を使用することによって、個室であってもゆったりとしたスペースを確保することができる。
【図面の簡単な説明】
【００５７】
【図１】本発明の一形態による温熱浴室を示す断面図である。
【図２】同平面断面図である。
【図３】本発明の一形態による温熱型ベッドを示す断面図である。
【図４】同平面断面図である。
【図５】図４におけるＶ−Ｖ断面図である。
【図６】図５における要部拡大断面図である。
【図７】図４におけるヒートパイプの詳細を示す斜視図である。
【図８】同断面図である。
【図９】別の形態のヒートパイプを示す断面図である。
【図１０】図１における温水器を示す簡略断面図である。
【図１１】図１における蒸気発生器を示す斜視図である。
【図１２】図１における天井又は側壁部の構成を示す断面斜視図である。
【図１３】別の形態の温熱型ベッドを示す斜視図である。
【図１４】集合型温熱浴室を示す簡略斜視図である。
【図１５】従来の温熱浴室を示す断面図である。
【符号の説明】
【００５８】
１、温熱浴室
３、天井部
５、側壁部
７、床部
１０、温熱型ベッド
１１、ベッド本体部
１２、敷板
１３、断熱層
１４、放熱板
１４２、パイプ収納部
１５、ヒートパイプ
１５３、コアパイプ
１６、保護カバー
１７、天然石層
１７１、水晶体
１７２、麦飯石体
１８、脚部
２０、温水器
４０、蒸気発生装置
【図１】
2006311944.tif 000003
【図２】
2006311944.tif 000004
【図３】
2006311944.tif 000005
【図４】
2006311944.tif 000006
【図５】
2006311944.tif 000007
【図６】
2006311944.tif 000008
【図７】
2006311944.tif 000009
【図８】
2006311944.tif 000010
【図９】
2006311944.tif 000011
【図１０】
2006311944.tif 000012
【図１１】
2006311944.tif 000013
【図１２】
2006311944.tif 000014
【図１３】
2006311944.tif 000015
【図１４】
2006311944.tif 000016
【図１５】
2006311944.tif 000017